(57)【要約】【課題】複数の機能に係る表示を複数の表示領域で並行してそれぞれ選択的に行わせ、各表示領域の表示内容に係る機能種別を効率良く表示させるアナログ電子時計を提供する。【解決手段】所定数の表示領域にそれぞれ対応する指針と、所定の機能表示又は各表示領域の表示の機能種別を示す表示を選択的に行う機能指針と、指針を少なくとも表示領域毎に個別に回動させる指針駆動手段と、各機能の表示位置についての表示設定を記憶する記憶手段と、を備え、機能指針には所定数の指示部が設けられ、表示盤には機能種別を表す種別標識が配列され、種別標識は、各表示領域で表示される機能種別の組み合わせを各指示部により指示可能な配列で設けられ、各表示領域の表示内容を変更させる表示種別変更制御手段と、各指示部に各表示領域の表示内容の機能種別の組み合わせを示させる表示種別報知制御手段と、を備える。【選択図】図１
2014182046.tif 000002
【特許請求の範囲】
【請求項１】
複数の所定数の表示領域に対応して表示盤上にそれぞれ設けられた指針と、
所定の機能に係る表示と、前記所定数の表示領域でそれぞれ表示されている内容の機能種別を示す表示とを選択的に行う機能指針と、
前記指針を、少なくとも前記所定数の表示領域に対応する指針ごとに個別に回転動作させる指針駆動手段と、
前記機能指針を回転動作させる機能指針駆動手段と、
前記指針駆動手段及び前記機能指針駆動手段の動作を制御する制御手段と、
機能種別と、当該機能種別に係る表示を行わせる前記表示領域とを対応付けた表示設定を記憶する記憶手段と、
を備え、
前記機能指針には、前記所定数の指示部が所定の角度間隔で設けられ、
前記表示盤には、前記指示部の何れかにより指し示されて前記機能種別を表す種別標識が配列されて設けられ、
当該種別標識の配列は、前記所定数の表示領域で表示される前記機能種別の組み合わせを前記所定数の指示部により指し示すことが可能となっており、
前記制御手段は、
前記表示設定が変更された場合に、前記指針駆動手段を動作させて、前記表示設定に応じて前記所定数の表示領域の表示内容を変更させる表示種別変更制御手段と、
所定の条件で、前記機能指針駆動手段を動作させて前記所定数の指示部に前記所定数の表示領域で表示されている内容に係る機能種別の組み合わせを指し示させるように前記機能指針を回転動作させる表示種別報知制御手段と
を備える
ことを特徴とするアナログ電子時計。
【請求項２】
前記種別標識は、前記所定数の表示領域にそれぞれ対応して別個に設けられていることを特徴とする請求項１記載のアナログ電子時計。
【請求項３】
前記所定数の表示領域は、それぞれ少なくとも一部が互いに異なる識別色で着色され、
前記種別標識は、対応する前記表示領域の識別色で識別可能に設けられている
ことを特徴とする請求項２記載のアナログ電子時計。
【請求項４】
前記所定数の指示部は、それぞれ、一の前記表示領域に係る前記種別標識を指し示し、
当該所定数の指示部のうちの一部は、前記所定の機能に係る表示と前記機能種別を示す表示とで選択的に用いられる選択指示部であり、
前記所定の機能に係る表示に用いられる機能標識は、当該選択指示部により指し示される前記種別標識とは異なる角度範囲に設けられている
ことを特徴とする請求項２又は３記載のアナログ電子時計。
【請求項５】
前記種別標識と、前記機能標識とは、前記機能指針の回転軸からの距離が異なる位置に設けられ、前記選択指示部は、前記機能標識の位置に応じた他の前記指示部とは異なる長さで形成されていることを特徴とする請求項４記載のアナログ電子時計。
【請求項６】
ユーザ操作を受け付ける操作手段と、
当該操作手段への操作入力に応じて前記記憶手段に記憶された前記表示設定を変更する表示種別変更設定手段と
を備えることを特徴とする請求項１〜５の何れか一項に記載のアナログ電子時計。
【請求項７】
前記所定の条件には、前記表示種別変更制御手段により前記所定数の表示領域の少なくとも何れかにおける表示内容が変更されたことが含まれることを特徴とする請求項１〜６の何れか一項に記載のアナログ電子時計。
【請求項８】
ユーザ操作を受け付ける操作手段を備え、
前記所定の条件には、前記操作手段への所定の入力操作が検出されることを含むことを特徴とする請求項１〜７の何れか一項に記載のアナログ電子時計。
【発明の詳細な説明】
【技術分野】
【０００１】
この発明は、アナログ電子時計に関する。
【背景技術】
【０００２】
従来、時刻表示機能に加えて、種々の機能に係る表示を行わせることが可能なアナログ電子時計がある。このような複数機能に係る表示が可能なアナログ電子時計としては、時刻表示に用いられる指針（時刻指針）に一時的に他の機能に係る表示を行わせるものと、時刻指針とは別個に他の機能に係る表示を行わせる指針（機能針）を備えているものとがある。
【０００３】
このような複数機能に係る表示を行うことが可能なアナログ電子時計では、現在どの機能に係る表示を行っているのかを示す指針（モード針）が更に設けられているものがある（例えば、特許文献１）。
【０００４】
しかしながら、複数の指針がそれぞれ並列に異なる機能に係る表示を行う場合には、何れの指針がどの機能に係る表示を行っているのかがユーザに分かり難いという問題がある。そこで、特許文献２には、表示させる機能に係る目盛を指針の一方の端部で指し示させると同時に、当該指針の他方の端部で当該目盛が示す機能種別を指し示させるように機能種別に係る標識を設ける技術が開示されている。
【先行技術文献】
【特許文献】
【０００５】
【特許文献１】実用新案登録第２６０１２２５号公報
【特許文献２】特開２０１０−６０３５５号公報
【発明の概要】
【発明が解決しようとする課題】
【０００６】
しかしながら、複数の表示領域に示される表示内容に係る機能種別が各々変更可能な場合には、それぞれの表示領域で何れの機能に係る表示を行わせているかをユーザが知得し難い。そして、このような場合に、従来のように当該表示領域の数に合わせてモード針を複数設けると、サイズや電力消費の増大を招くという課題がある。
【０００７】
この発明の目的は、複数の表示領域で並行して、互いに異なる機能に係る表示をそれぞれ選択的に行わせることが可能な場合に、各表示領域で何れの機能に係る表示が行われているかを効率良く表示させることが可能なアナログ電子時計を提供することにある。
【課題を解決するための手段】
【０００８】
本発明は、上記目的を達成するため、
複数の所定数の表示領域に対応して表示盤上にそれぞれ設けられた指針と、
所定の機能に係る表示と、前記所定数の表示領域でそれぞれ表示されている内容の機能種別を示す表示とを選択的に行う機能指針と、
前記指針を、少なくとも前記所定数の表示領域に対応する指針ごとに個別に回転動作させる指針駆動手段と、
前記機能指針を回転動作させる機能指針駆動手段と、
前記指針駆動手段及び前記機能指針駆動手段の動作を制御する制御手段と、
機能種別と、当該機能種別に係る表示を行わせる前記表示領域とを対応付けた表示設定を記憶する記憶手段と、
を備え、
前記機能指針には、前記所定数の指示部が所定の角度間隔で設けられ、
前記表示盤には、前記指示部の何れかにより指し示されて前記機能種別を表す種別標識が配列されて設けられ、
当該種別標識の配列は、前記所定数の表示領域で表示される前記機能種別の組み合わせを前記所定数の指示部により指し示すことが可能となっており、
前記制御手段は、
前記表示設定が変更された場合に、前記指針駆動手段を動作させて、前記表示設定に応じて前記所定数の表示領域の表示内容を変更させる表示種別変更制御手段と、
所定の条件で、前記機能指針駆動手段を動作させて前記所定数の指示部に前記所定数の表示領域で表示されている内容に係る機能種別の組み合わせを指し示させるように前記機能指針を回転動作させる表示種別報知制御手段と
を備える
ことを特徴とするアナログ電子時計である。
【発明の効果】
【０００９】
本発明に従うと、複数の表示領域で並行して、互いに異なる機能に係る表示をそれぞれ選択的に行わせることが可能なアナログ電子時計において、各表示領域で何れの機能に係る表示が行われているかを効率良く表示させることが出来るという効果がある。
【図面の簡単な説明】
【００１０】
【図１】本発明の実施形態のアナログ電子時計を示す平面図である。
【図２】アナログ電子時計の内部構成を示すブロック図である。
【図３】本実施形態のアナログ電子時計において切り替え可能な表示モードを示す図表である。
【図４】各表示モードにおける表示状態の例を示すアナログ電子時計の平面図である。
【図５】機能表示位置確認処理の制御手順を示すフローチャートである。
【図６】機能表示位置変更処理の制御手順を示すフローチャートである。
【発明を実施するための形態】
【００１１】
以下、本発明の実施の形態を図面に基づいて説明する。
【００１２】
図１は、本発明の実施形態のアナログ電子時計１００の平面図である。
【００１３】
本実施形態のアナログ電子時計１００は、図示略のバンドにより腕に装着可能な腕時計型のものであり、ケーシング２の内部に設けられた表示盤３と、表示盤３の上面を覆う図示略の風防ガラスとの間に、複数の指針が回転可能に配置されている。また、ケーシング２の側面部分には、りゅうず３８１、及び、二つの押しボタンスイッチ３８２、３８３が設けられている。
【００１４】
複数の指針のうち、時針５１、分針５２、及び、秒針５３は、表示盤３の略中央に設けられた同一の回転軸の周りを回転する。以降、時針５１、分針５２、及び、秒針５３による表示をセンター表示と記し、当該センター表示に係る目盛が設けられた表示盤３の領域、及び、時針５１、分針５２、並びに、秒針５３により指し示される領域をセンター表示領域と記す。表示盤３には、１２時方向、６時方向、及び、９時方向にそれぞれ円形の表示領域４、５、６が設けられている。表示領域４の内部には、第一短小針５４及び第一長小針５５が回転可能に配置され、また、表示領域５の内部には、第二短小針５６及び第二長小針５７が回転可能に配置され、表示領域６の内部には、機能針５８（機能指針）が回転可能に配置されている。
【００１５】
機能針５８は、３本の指示針５８ａ、５８ｂ、５８ｃが１２０度間隔で固定されて設けられた形状となっている。これらの３本の指示針のうち、指示針５８ａ、５８ｃは、表示領域６に設けられた内側の目盛を指し示す長さであり、指示針５８ｂは、外側の目盛部６ｄの目盛を指し示す長さとなっている。
【００１６】
表示盤３には、小窓７が３時方向に設けられている。小窓７からは、表示盤３の下面に設けられた回転板である日車５９の一部が露出されて日付の表示が行われる。小窓７は、日車５９上に設けられた何れか一日分の日付を示す標識が露出可能な大きさで形成されている。
【００１７】
表示盤３には、時針５１、分針５２、及び、秒針５３の回転軸に対する一の回転円周上に１時から１２時の各位置（方向）を示す時字が設けられ、他の回転円周上に、０秒から５９秒の各秒を示す秒目盛が設けられ、これらの時字及び秒目盛が設けられた円周の更に外側であって表示盤３の周縁部に、世界時計に係る表示を行う際に選択可能な都市名が略称で記載されている。
【００１８】
表示領域４、５には、同一の目盛が設けられている。この目盛としては、本実施形態のアナログ電子時計１００では、内側の円周上に時字が設けられ、外側の円周上に各秒を示す秒目盛が設けられている。従って、センター表示領域及び表示領域４、５の何れであっても時刻の表示やストップウォッチ機能における秒値の表示を行わせることが出来る。表示領域４において秒目盛が設けられた秒目盛部４ａ、及び、表示領域５において秒目盛が設けられた秒目盛部５ａは、互いに異なり、且つ、表示盤３の背景色とは異なる色で着色されている。
【００１９】
表示領域６には、機能針５８の回転軸に対し、一の円周上に設けられた目盛部と、この円周状の目盛部の外側であって左側１２０度の範囲に設けられた目盛部６ｄとが形成されている。外側の目盛部６ｄには、日曜日から土曜日までの各曜日を示す曜日標識「ＳＵ」、「ＭＯ」、「ＴＵ」、「ＷＥ」、「ＴＨ」、「ＦＲ」、「ＳＡ」（機能標識）が等間隔で順番に設けられている。一方、内側の目盛部は、１２０度間隔で標識領域６ａ、６ｂ、６ｃの３つの領域に区切られて、それぞれ、秒目盛部４ａ、表示盤３の背景色、及び、秒目盛部５ａに着色されている。これらの標識領域６ａ、６ｂ、６ｃには、何れも機能種別を示す種別標識「ＴＭ」、「ＷＴ」、「ＳＴＷ」が設けられている。ここで、標識領域６ａ、６ｂ、６ｃでは、これらの種別標識の配列順が異なる。即ち、標識領域６ａには、時計回り（表示面上側から見て右回り）に種別標識「ＷＴ」、「ＳＴＷ」、「ＴＭ」の順番で設けられ、標識領域６ｂには、種別標識「ＴＭ」、「ＷＴ」、「ＳＴＷ」の順番で設けられ、標識領域６ｃには、種別標識「ＳＴＷ」、「ＴＭ」、「ＷＴ」の順番で設けられている。
【００２０】
図２は、本実施形態のアナログ電子時計１００の内部構成を示すブロック図である。
【００２１】
このアナログ電子時計１００は、ＣＰＵ（Central Processing Unit）３１（制御手段、表示種別変更制御手段、表示種別報知制御手段、表示種別変更設定手段）と、ＲＯＭ（Read Only Memory）３２と、ＲＡＭ（Random Access Memory）３３（記憶手段）と、発振回路３４と、分周回路３５と、時刻計数回路３６と、電源部３７と、操作部３８（操作手段）と、モータ駆動回路３９と、輪列機構６１〜６９と、ステッピングモータ７１〜７３、７５、７７〜７９と、時針５１と、分針５２と、秒針５３と、第一短小針５４と、第一長小針５５と、第二短小針５６と、第二長小針５７と、機能針５８と、日車５９などを備える。
【００２２】
ステッピングモータ７１〜７３は、それぞれ輪列機構６１〜６３を介して時針５１、分針５２、秒針５３を個別に回転動作させる。ステッピングモータ７５は、輪列機構６５を介して第一長小針５５を回転動作させ、また、輪列機構６５に連動する輪列機構６４を介して第一短小針５４を回転動作させる。ステッピングモータ７７は、輪列機構６７を介して第二長小針５７を回転動作させ、また、輪列機構６７に連動する輪列機構６６を介して第二短小針５６を回転動作させる。ステッピングモータ７８は、輪列機構６８を介して機能針５８を回転動作させ、ステッピングモータ７９は、輪列機構６９を介して日車５９を回転動作させる。これらのうち、ステッピングモータ７１〜７３、７５、７７により指針駆動手段が構成され、ステッピングモータ７８により機能指針駆動手段が構成される。
【００２３】
ここで、第一短小針５４は、第一長小針５５より短く形成されており、第二短小針５６は、第二長小針５７より短く形成されている。即ち、第一短小針５４及び第二短小針５６は、センター表示における時針５１に対応し、また、第一長小針５５及び第二長小針５７は、センター表示における分針５２に対応するものとして設けられている。
【００２４】
ステッピングモータ７１〜７３、７５、７７〜７９は、モータ駆動回路３９から出力される駆動パルスにより駆動されて、所定の角度（例えば、１８０度）ずつステップ回転する。輪列機構６１〜６９は、それぞれ、複数の歯車が噛み合わされて所定のギア比で回転する構成であり、輪列機構６１〜６３、６５、６７〜６９におけるそれぞれ最後の歯車は、ステッピングモータ７１〜７３、７５、７７〜７９のステップ回転に連動してそれぞれ所定角度の回転動作を時針５１、分針５２、秒針５３、第一長小針５５、第二長小針５７、機能針５８、及び、日車５９に伝える。ここでは、時針５１、分針５２、第一長小針５５、第二長小針５７、及び、機能針５８は、一ステップ当たり１度回転移動し、秒針５３は、一ステップ当たり６度回転移動し、日車５９は、一ステップ当たり１／１２０度回転移動する。
【００２５】
輪列機構６４、６６は、輪列機構６５、６７の歯車の回転にそれぞれ連動して回転する歯車を有し、第一短小針５４及び第二短小針５６に所定角度の回転動作を伝える。第一短小針５４と第二短小針５６は、それぞれ、第一長小針５５及び第二長小針５７の回転に対し１：１２の比で回転する。即ち、第一長小針５５及び第二長小針５７が表示領域４、５の内部で各々の回転軸の周りを一周（３６０度回転）する間に、第一短小針５４及び第二短小針５６は、第一長小針５５及び第二長小針５７と同一の回転方向に３０度回転する。
【００２６】
ＣＰＵ３１は、各種演算処理を行い、アナログ電子時計１００の動作全体を統括制御する。ＲＯＭ３２は、アナログ電子時計１００の動作に係る制御プログラムや設定データを格納する。ＲＡＭ３３は、ＣＰＵ３１に作業用のメモリ空間を提供し、一時データや更新可能な設定データを記憶する揮発性メモリである。この更新可能な設定データには、３つの表示領域に各々表示させる内容の機能種別に係る表示設定が含まれる。ユーザにより設定更新が可能な設定データは、ＲＡＭ３３の他、フラッシュメモリなどの不揮発性メモリを備えて読み書き可能とされても良い。
【００２７】
モータ駆動回路３９は、ＣＰＵ３１から入力された制御信号に応じてステッピングモータ７１〜７３、７５、７７〜７９をそれぞれ駆動するための電圧駆動パルスを適切なタイミング及びパルス幅で出力する。
【００２８】
発振回路３４は、所定の周波数信号を生成する回路であり、ここでは、例えば、水晶発振回路が用いられている。分周回路３５は、この発振回路３４から入力された信号を、アナログ電子時計１００で用いられる各種周波数の信号に分周してＣＰＵ３１及び時刻計数回路３６に出力する。時刻計数回路３６は、分周回路３５から入力された信号を計数し、初期時刻に加算していくことで現在時刻を計数する。
【００２９】
電源部３７は、アナログ電子時計１００の各部に電力を供給する。この電源部３７としては、例えば、太陽光電池と二次電池との組み合わせであり、表示盤３に設けられた図示略のソーラーパネルを用いて発電された電力を各部に供給したり、二次電池に蓄電したりする。
【００３０】
操作部３８は、りゅうず３８１及び押しボタンスイッチ３８２、３８３を備え、ユーザによるこれらりゅうず３８１、押しボタンスイッチ３８２、３８３への入力操作を電気信号に変換してＣＰＵ３１に出力する。押しボタンスイッチ３８２、３８３は、例えば、ストップウォッチ機能に係る時間計測の開始、終了やリセットといった操作に用いられる。また、りゅうず３８１は、本実施形態のアナログ電子時計１００では、二段階の引き出し動作が可能となっており、当該引き出しの段階、回転動作の向きや回転角度、及び、これらと押しボタンスイッチ３８２、３８３の押下動作との組み合わせにより、例えば、世界時計表示に係る表示対象都市を切り替える動作が行われる。
【００３１】
次に、本実施形態のアナログ電子時計１００における機能表示について説明する。
【００３２】
本実施形態のアナログ電子時計１００では、センター表示領域、表示領域４、及び、表示領域５の３箇所で、現在時刻表示、世界時計表示、及び、ストップウォッチ表示の３機能に係る表示が同時並列的に行われる。また、通常、表示領域６では曜日の表示が行われ、小窓７では日付の表示が行われる。
【００３３】
現在時刻表示、世界時計表示、及び、ストップウォッチ表示の３機能に係る表示が行われる表示領域は、ユーザによる操作部３８への所定の入力操作に応じて切り替えることが出来る。そして、本実施形態のアナログ電子時計１００では、所定の操作により、表示領域６において機能針５８を回転させて、どの表示領域で何れの機能に係る表示を行わせているか（機能表示位置）を表示させることが出来る。
【００３４】
図３は、アナログ電子時計１００において切り替え可能な表示モードを示す図表である。また、図４は、各表示モードに切り替えられた場合に機能表示位置の表示が行われている間の表示状態の例を示すアナログ電子時計１００の平面図である。
【００３５】
このアナログ電子時計１００では、図３に示すように、モードＡ、モードＢ、又は、モードＣの３種類の表示状態の間で順番に切換が行われる。通常状態では、図４（ａ）に示すように、モードＡ、即ち、現在時刻表示がセンター表示で行われ、世界時計表示が表示領域４で行われ、ストップウォッチ表示が表示領域５で行われる。ここでは、東京における現在時刻１５時３７分５２秒がセンター表示で指し示され、世界時計としてニューヨークにおける時刻１時３７分（５０秒〜５９秒）（東京と比較して−１４時間）が表示領域４で指し示され、ストップウォッチのリセット状態０分０秒が表示領域５で指し示されている。この表示モードで機能表示位置の表示が行われると、機能針５８は、標識領域６ａにおいて指示針５８ｂが標識「ＷＴ」を指し示し、標識領域６ｂにおいて指示針５８ｃが標識「ＴＭ」を指し示し、また、標識領域６ｃにおいて指示針５８ａが標識「ＳＴＷ」を指し示すように回転移動する。この回転移動により、標識領域６ａに対応する表示領域４では、世界時計機能に係る表示が行われ、標識領域６ｂに対応するセンター表示領域では、現在時刻表示が行われ、また、標識領域６ｃに対応する表示領域５では、ストップウォッチ機能に係る表示が行われていることが示される。
【００３６】
次に、操作部３８への入力操作により表示モードが一回切り替えられると、モードＢの表示状態に移行し、図４（ｂ）に示すように、世界時計表示がセンター表示で行われ、ストップウォッチ表示が表示領域４で行われ、現在時刻表示が表示領域５で行われる。この表示モードで機能表示位置の表示が行われると、機能針５８は、標識領域６ａにおいて指示針５８ｂが種別標識「ＳＴＷ」を指し示し、標識領域６ｂにおいて指示針５８ｃが種別標識「ＷＴ」を指し示し、標識領域６ｃにおいて指示針５８ａが種別標識「ＴＭ」を指し示すように回転移動する。
【００３７】
操作部３８への入力操作により表示モードが再度切り替えられると、モードＣの表示状態に移行し、図４（ｃ）に示すように、ストップウォッチ表示がセンター表示で行われ、現在時刻表示が表示領域４で行われ、世界時計表示が表示領域５で行われる。この表示モードで機能表示位置の表示が行われると、機能針５８は、標識領域６ａにおいて指示針５８ｂが種別標識「ＴＭ」を指し示し、標識領域６ｂにおいて指示針５８ｃが種別標識「ＳＴＷ」を指し示し、標識領域６ｃにおいて指示針５８ａが種別標識「ＷＴ」を指し示すように回転移動する。
更にもう一度操作部３８への入力操作が行われて表示モードが切り替えられると、表示状態は、モードＡに復帰する。
【００３８】
このような表示領域６における機能表示位置の表示動作は、表示モードの切り替えが確定した際、及び、ユーザによる操作部３８への機能表示位置の確認命令に係る入力操作があった際に行われる。
【００３９】
図５は、ＣＰＵ３１が実行する機能表示位置確認処理の制御手順を示すフローチャートである。
【００４０】
この機能表示位置確認処理は、ユーザによる操作部３８への所定の入力操作、例えば、りゅうず３８１の一段引き出し操作により開始される。機能表示位置確認処理が開始されると、ＣＰＵ３１は、先ず、現在各表示領域で表示されている内容の機能種別に係る情報を取得する（ステップＳ１０１）。
【００４１】
次いで、ＣＰＵ３１は、モータ駆動回路３９に制御信号を出力して、各表示領域と対応する標識領域で、当該表示領域における表示内容の機能種別が対応する指示針により指し示されるように機能針５８を回転移動させる（ステップＳ１０５）。ここでは、ＣＰＵ３１は、例えば、センター表示における表示内容の機能種別に係る種別標識が標識領域６ｂで指示針５８ｃにより指し示されるように機能針５８を回転させることで、他の表示領域４、５における表示内容の機能種別もそれぞれ指示針５８ａ、５８ｂにより正しく指し示される。
【００４２】
ＣＰＵ３１は、機能針５８の回転移動が完了した後、所定の時間が経過したか否かを判別し（ステップＳ１０６）、所定の時間が経過していないと判別されている間（ステップＳ１０６で“ＮＯ”）、ステップＳ１０６の処理を繰り返す。
【００４３】
所定の時間が経過したと判別された場合（ステップＳ１０６で“ＹＥＳ”）には、ＣＰＵ３１は、モータ駆動回路３９に制御信号を出力して、機能針５８を当初の曜日表示位置に移動させる（ステップＳ１０７）。即ち、ＣＰＵ３１は、指示針５８ｂにより目盛部６ｄにおける当日の曜日標識が指し示される位置まで機能針５８を回転させる。そして、ＣＰＵ３１は、機能表示位置確認処理を終了する。
【００４４】
図６は、ＣＰＵ３１が実行する機能表示位置変更処理の制御手順を示すフローチャートである。
【００４５】
この機能表示位置変更処理は、機能表示位置確認処理におけるステップＳ１０１の処理の代わりにステップＳ１０２〜Ｓ１０４の処理が行われ、また、ステップＳ１０６の処理がステップＳ１０６ａの処理に変更されている。その他の処理は、機能表示位置確認処理と同一であり、同一の符号を付して説明を省略する。
【００４６】
この機能表示位置変更処理は、ユーザにより操作部３８に機能表示位置の変更設定を行う操作入力がなされた場合に開始される。機能表示位置変更処理が開始されると、ＣＰＵ３１は、操作部３８から表示位置変更に係る操作、例えば、りゅうず３８１が一段引き出された状態におけるこのりゅうず３８１の回転操作の検出信号が入力されたか否かを判別する（ステップＳ１０２）。入力されたと判別された場合には（ステップＳ１０２で“ＹＥＳ”）、ＣＰＵ３１は、機能表示位置を変更する設定を行う（ステップＳ１０３）。それから、ＣＰＵ３１の処理は、ステップＳ１０２に戻る。
【００４７】
一方、操作部３８から表示位置変更に係る操作の検出信号が入力されていないと判別された場合には（ステップＳ１０２で“ＮＯ”）、ＣＰＵ３１は、当該表示位置変更に係る操作が検出されずに所定時間（例えば、２分おきの各時間）が経過したか、又は、操作部３８から表示位置変更処理の終了に係る操作の検出信号が入力されたかを判別する（ステップＳ１０４）。何れにも該当しないと判別された場合には（ステップＳ１０４で“ＮＯ”）、ＣＰＵ３１の処理は、ステップＳ１０２に戻る。
【００４８】
ステップＳ１０４の判別処理において、何れかの条件に該当すると判別された場合には（ステップＳ１０４で“ＹＥＳ”）、ＣＰＵ３１は、ステップＳ１０５の処理を実行する。それから、ＣＰＵ３１は、該当した条件が終了操作の検出であったか否かを判別する（ステップＳ１０６ａ）。終了操作の検出ではないと判別された場合には（ステップＳ１０６ａで“ＮＯ”）、ＣＰＵ３１の処理は、ステップＳ１０２に戻る。
【００４９】
終了操作の検出であったと判別された場合には（ステップＳ１０６ａで“ＹＥＳ”）、ＣＰＵ３１は、ステップＳ１０７の処理を実行し、その後、機能表示位置変更処理を終了する。
【００５０】
以上のように、本実施形態のアナログ電子時計１００は、表示盤３にセンター表示領域の他、表示領域４、５を有し、表示領域ごとに指針が設けられている。これらの指針５１〜５７は、ステッピングモータ７１〜７３、７５、７７により表示領域ごとに個別に回転動作される。各表示領域で行われる表示の機能種別に係る表示設定は、ＲＡＭ３３に記憶され、当該表示設定に応じて各表示領域の指針５１〜５７の回転動作が制御される。また、表示盤３の９時方向には、３本の指示針５８ａ〜５８ｃを有する機能針５８が設けられ、ステッピングモータ７８により回転動作されて、各曜日を表す曜日標識を指し示す曜日表示と、３つの表示領域の表示内容に係る機能種別を表す種別標識を指し示す機能表示が選択的に行われる。表示盤３上に設けられた種別標識の配列は、３つの表示領域で表示され得る機能種別の組み合わせが３本の指示針５８ａ〜５８ｃによって全て表示可能となっており、機能表示位置の表示が行われる場合には、ステッピングモータ７８を動作させて３つの表示領域でそれぞれ表示されている機能種別の組み合わせを３本の指示針５８ａ〜５８ｃにより各々指し示させることになる。このように、曜日表示機能に用いられる一本の機能針５８と一つのステッピングモータ７８とを機能表示位置の表示に兼用させて、同時並列的に表示されている複数の表示領域での表示内容の機能種別を一度に表示させることが出来るので、アナログ電子時計１００のサイズや電力消費を増大させることなく各表示領域で何れの機能に係る表示が行われているかを効率良く表示させることが出来る。
【００５１】
また、指示針５８ａ〜５８ｃにそれぞれ対応して標識領域６ａ、６ｂ、６ｃが設けられているので、ユーザが知りたい表示領域で表示されている内容に係る機能種別を容易に知得することが出来る。
【００５２】
また、標識領域６ａ、６ｂ、６ｃは、互いに異なる色で着色された表示領域４の秒目盛部４ａ、表示盤３の背景色、及び、表示領域５の秒目盛部５ａとそれぞれ同色で着色されているので、より容易にユーザが表示領域と、当該表示領域において表示されている内容の機能種別とを知得することが出来る。
【００５３】
また、曜日表示に用いられる指示針５８ｂは、機能表示位置の表示を行う際には、曜日標識が設けられた目盛部６ｄとは異なる角度範囲の標識領域６ａの種別標識を指し示すので、指示針５８ｂが指し示す位置によって何れの表示が行われているかを認識することが出来る。
【００５４】
また、この指示針５８ｂの長さは、標識領域６ａ〜６ｃよりも機能針５８の回転軸から目盛部６ｄまでの距離に対応して他の指示針５８ａ、５８ｃよりも長く形成されているので、表示されている曜日が知得しやすく、且つ、当該指示針５８ｂが指し示す位置によって曜日表示又は機能表示位置の表示の何れが行われているかをユーザが認識することが出来る。
【００５５】
また、操作部３８への入力操作に基づいて各表示領域に表示させている内容の機能種別を変更することが出来るので、複数の機能に係る表示を同時並列的に行わせることが出来る。即ち、ユーザは、表示機能種別の切替操作を行わずに複数の情報を入手することが出来る。そして、このときにユーザがどの表示領域で何れの機能種別に係る表示を行わせているかを容易に確認することが出来る。
【００５６】
また、各表示領域における表示内容の機能種別が変更された場合に、当該変更内容について確認表示がなされるので、ユーザは、正しく変更されたか否かについて容易に確認することが出来る。
【００５７】
また、複数の情報を表示させたまま一番重要な情報をセンター表示で行わせるといった利便性を確保しつつ、当該複数の情報が何れの表示領域で行われているかを容易に確認することが出来る。特に、秒針５３が設けられているセンター表示で時刻表示を行わせることで、秒単位の時刻を指し示すことが出来たり、センター表示位置でストップウォッチ表示を行わせることで、例えば、秒針５３により１／２０秒単位の表示を行わせることが可能になったりするので、このアナログ電子時計１００は、必要な情報精度に応じて表示領域を切り替える利便性を備え、且つ、何れの表示領域でどの機能種別に係る表示を行わせているかを容易に示すことが出来る。
【００５８】
また、変更した後長い時間が経過した場合などに、ユーザがどのような変更を行ったかを覚えていない場合でも、操作部３８への確認動作の命令入力によって各表示領域の表示内容の機能種別を容易に確認することが出来るので、わざわざユーザが一度表示領域の変更操作を行わなくても良い。
【００５９】
なお、本発明は、上記実施の形態に限られるものではなく、様々な変更が可能である。
例えば、上記実施の形態では、センター表示に係る時針５１、分針５２、秒針５３が独立駆動され、表示領域４、５のそれぞれ二本の小針が連動して駆動される場合を例に挙げて説明したが、異なる表示領域の指針が個別に駆動され、また、表示領域間で表示内容が入れ換えられても支障なく必要最低限の表示が可能である限り、各表示領域内の指針の本数やこれらの指針の駆動機構については、適宜変更可能である。
【００６０】
また、上記実施の形態では、センター表示の他に、表示盤３上に表示領域４、５が設けられる場合を例に挙げて説明したが、異なる表示領域が３つ別個に時計の表示画面に設けられても良い。
【００６１】
また、上記実施の形態では、３つの表示領域の表示順を３つの表示領域間で順番に移動させる場合について説明したが、表示領域の数は、３つに限られない。この場合には、指示針５８ａ〜５８ｃの本数や角度間隔が適宜調整される。
【００６２】
また、２つの表示領域に表示させる内容の機能種別を入れ換えたりすることも出来る。このような場合には、３つの表示領域で表示させる機能種別の組み合わせが全て表示可能なように標識領域６ａ〜６ｃに標識が設けられることになる。
【００６３】
また、上記実施の形態では、現在時刻表示機能、世界時計表示機能、及び、ストップウォッチ表示機能の３機能を例に上げて説明したが、これら以外の機能、例えば、アラーム機能、タイマー機能、その他の計測センサにより計測された値や方向を示す機能に用いても良い。
【００６４】
また、３種類の機能の入れ換えだけではなく、４種類以上の機能から選択的に３種類の機能に係る表示を行わせる場合であっても良い。
【００６５】
また、上記実施の形態では、領域標識を表示領域と各々対応した色分けにより示すこととしたが、他の方式で識別されることとしても良い。例えば、各表示領域に名称や番号を設定して当該名称や番号を用いた領域標識を設けても良い。
【００６６】
また、上記実施の形態では、標識領域６ａ〜６ｃに各表示領域に対応した着色を行ったが、これに代えて、又は、これに加えて、指示針５８ａ〜５８ｃを着色したり、各表示領域に対応した形状や模様を設けたりしても良い。指示針５８ａ〜５８ｃのみを着色した場合には、標識領域６ａ〜６ｃに分割せずに、同一の表示組み合わせの場合に共通の種別標識の組み合わせを用いることが出来る。
【００６７】
また、指示針５８ａ〜５８ｃと各表示領域との対応が認識可能な場合には、標識領域６ａ〜６ｃが部分的に重複する角度範囲に設けられていても良い。反対に、標識領域６ａ〜６ｃ間には、隙間があっても良い。
【００６８】
また、上記実施の形態では、指示針５８ｂの長さを他の指示針５８ａ、５８ｃと異ならせたが、同一の長さでも良い。また、指示針５８ｂで指し示される目盛部６ｄと標識領域６ａとが重複する角度範囲にあっても良い。また、機能針５８において、曜日を指し示すための指針は、指示針５８ａ〜５８ｃとの相対角度が固定され、且つ、同一のステッピングモータで回転動作される限り、別個に設けられていても良い。
【００６９】
また、上記実施の形態では、指示針５８ｂにより曜日のみが示される形態を例に挙げて説明したが、一の曜日に対応する角度範囲を、例えば、更に二分割して指示針５８ａ又は５８ｃにより午前又は午後の表示を行わせるといったように、複数の指示針を用いて所定の機能に係る表示を行わせても良い。
【００７０】
また、上記実施の形態では、腕時計を例に挙げて説明したが、他のアナログ電子時計、例えば、懐中時計や小型の携帯置き時計などであっても良い。
その他、上記実施の形態で示した具体的な数値、構成や配置などの細部は、本発明の趣旨を逸脱しない範囲において適宜変更可能である。
【００７１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７２】
［付記］
＜請求項１＞
複数の所定数の表示領域に対応して表示盤上にそれぞれ設けられた指針と、
所定の機能に係る表示と、前記所定数の表示領域でそれぞれ表示されている内容の機能種別を示す表示とを選択的に行う機能指針と、
前記指針を、少なくとも前記所定数の表示領域に対応する指針ごとに個別に回転動作させる指針駆動手段と、
前記機能指針を回転動作させる機能指針駆動手段と、
前記指針駆動手段及び前記機能指針駆動手段の動作を制御する制御手段と、
機能種別と、当該機能種別に係る表示を行わせる前記表示領域とを対応付けた表示設定を記憶する記憶手段と、
を備え、
前記機能指針には、前記所定数の指示部が所定の角度間隔で設けられ、
前記表示盤には、前記指示部の何れかにより指し示されて前記機能種別を表す種別標識が配列されて設けられ、
当該種別標識の配列は、前記所定数の表示領域で表示される前記機能種別の組み合わせを前記所定数の指示部により指し示すことが可能となっており、
前記制御手段は、
前記表示設定が変更された場合に、前記指針駆動手段を動作させて、前記表示設定に応じて前記所定数の表示領域の表示内容を変更させる表示種別変更制御手段と、
所定の条件で、前記機能指針駆動手段を動作させて前記所定数の指示部に前記所定数の表示領域で表示されている内容に係る機能種別の組み合わせを指し示させるように前記機能指針を回転動作させる表示種別報知制御手段と
を備える
ことを特徴とするアナログ電子時計。
＜請求項２＞
前記種別標識は、前記所定数の表示領域にそれぞれ対応して別個に設けられていることを特徴とする請求項１記載のアナログ電子時計。
＜請求項３＞
前記所定数の表示領域は、それぞれ少なくとも一部が互いに異なる識別色で着色され、
前記種別標識は、対応する前記表示領域の識別色で識別可能に設けられている
ことを特徴とする請求項２記載のアナログ電子時計。
＜請求項４＞
前記所定数の指示部は、それぞれ、一の前記表示領域に係る前記種別標識を指し示し、
当該所定数の指示部のうちの一部は、前記所定の機能に係る表示と前記機能種別を示す表示とで選択的に用いられる選択指示部であり、
前記所定の機能に係る表示に用いられる機能標識は、当該選択指示部により指し示される前記種別標識とは異なる角度範囲に設けられている
ことを特徴とする請求項２又は３記載のアナログ電子時計。
＜請求項５＞
前記種別標識と、前記機能標識とは、前記機能指針の回転軸からの距離が異なる位置に設けられ、前記選択指示部は、前記機能標識の位置に応じた他の前記指示部とは異なる長さで形成されていることを特徴とする請求項４記載のアナログ電子時計。
＜請求項６＞
ユーザ操作を受け付ける操作手段と、
当該操作手段への操作入力に応じて前記記憶手段に記憶された前記表示設定を変更する表示種別変更設定手段と
を備えることを特徴とする請求項１〜５の何れか一項に記載のアナログ電子時計。
＜請求項７＞
前記所定の条件には、前記表示種別変更制御手段により前記所定数の表示領域の少なくとも何れかにおける表示内容が変更されたことが含まれることを特徴とする請求項１〜６の何れか一項に記載のアナログ電子時計。
＜請求項８＞
ユーザ操作を受け付ける操作手段を備え、
前記所定の条件には、前記操作手段への所定の入力操作が検出されることを含むことを特徴とする請求項１〜７の何れか一項に記載のアナログ電子時計。
【符号の説明】
【００７３】
２     ケーシング
３     表示盤
４     表示領域
４ａ   秒目盛部
５     表示領域
５ａ   秒目盛部
６     表示領域
６ａ   標識領域
６ｂ   標識領域
６ｃ   標識領域
６ｄ   目盛部
７     小窓
３１   ＣＰＵ
３２   ＲＯＭ
３３   ＲＡＭ
３４   発振回路
３５   分周回路
３６   時刻計数回路
３７   電源部
３８   操作部
３９   モータ駆動回路
５１   時針
５２   分針
５３   秒針
５４   第一短小針
５５   第一長小針
５６   第二短小針
５７   第二長小針
５８   機能針
５８ａ 指示針
５８ｂ 指示針
５８ｃ 指示針
５９   日車
６１-６９     輪列機構
７１-７３     ステッピングモータ
７５   ステッピングモータ
７７   ステッピングモータ
７８   ステッピングモータ
７９   ステッピングモータ
１００ アナログ電子時計
３８１ りゅうず
３８２ 押しボタンスイッチ
３８３ 押しボタンスイッチ
【図１】
2014182046.tif 000003
【図２】
2014182046.tif 000004
【図３】
2014182046.tif 000005
【図４】
2014182046.tif 000006
【図５】
2014182046.tif 000007
【図６】
2014182046.tif 000008